(57)【要約】【課題】  石製照明体に備えさせた照明灯が通常の姿勢を取る看者からは直接見ることができないようにし、かつ、照明灯用のガラス、合成樹脂等の防水カバーを不要ならしめる。【解決手段】石製本体（１）には該石製本体の表面に開口する照明灯収納穴（９）を備えさせ、該照明灯収納穴は表面の開口部（１１）より内部に向って徐々に高くなるように傾斜した状態で形成し、該照明灯収納穴の奥部には照明灯（１３）を取り付けたことを特徴とする石製照明体。石製本体（１）内には照明灯（１３）を配設し、該照明灯の光を石製本体の外部に通す複数の光通路（１５）を設け、各光通路は石製本体表面の開口部（１７）より照明灯に向って徐々に高くなるように傾斜した状態で形成したことを特徴とする石製照明体。【選択図】図１
0003108041.tif 000002
【実用新案登録請求の範囲】
【請求項１】
石製本体には該石製本体の表面に開口する照明灯収納穴を備えさせ、該照明灯収納穴は表面の開口部より内部に向って徐々に高くなるように傾斜した状態で形成し、該照明灯収納穴の奥部には照明灯を取り付けたことを特徴とする石製照明体。
【請求項２】
石製本体内には照明灯を配設し、該照明灯の光を石製本体の外部に通す複数の光通路を設け、各光通路は石製本体表面の開口部より照明灯に向って徐々に高くなるように傾斜した状態で形成したことを特徴とする石製照明体。
【考案の詳細な説明】
【技術分野】
【０００１】
本考案は、石製照明体に関するものであり、例えば、郵便受け、彫刻、鉢植えの植物等を上端に載置した状態で、あるいは、このようなものを載置しない状態で、庭、建物の玄関近傍、公園、街路等に配設される石製照明体に係るものである。本考案の石製照明体には石製の庭園灯籠、街路灯も含まれる。
【背景技術】
【０００２】
このような石製照明体は、従来より使用されている。
【０００３】
実開平１−１０７８０８号公報は、石製の柱状体に切欠部を形成し、該切欠部内に照明灯を配設し、該切欠部にガラス製又は合成樹脂製の防水カバーを取り付けてなる石製照明体（以下「従来の石製照明体」という。）を開示している。
【特許文献１】実開平１−１０７８０８号公報
【考案の開示】
【考案が解決しようとする課題】
【０００４】
しかるに、従来の石製照明体においては、人工的な材料であるガラス又は合成樹脂により形成した防水カバーを自然の材料である石製の柱状体に取り付けているため、意匠的な釣合が悪いのみならず、該防水カバーを介して照明灯が透視されるため、石製照明体の雰囲気が壊されるという問題がある。
【０００５】
本考案は、従来の石製照明体における上述の如き問題を解決し、好ましい意匠的効果を発揮する石製照明体を提供しようとしてなされたものである。
【課題を解決するための手段】
【０００６】
上記課題を解決するために、本考案は、下記の石製照明体を提供するものである。
【０００７】
（１）石製本体には該石製本体の表面に開口する照明灯収納穴を備えさせ、該照明灯収納穴は表面の開口部より内部に向って徐々に高くなるように傾斜した状態で形成し、該照明灯収納穴の奥部には照明灯を取り付けたことを特徴とする石製照明体（請求項１）。
【０００８】
（２）石製本体内には照明灯を配設し、該照明灯の光を石製本体の外部に通す複数の光通路を設け、各光通路は石製本体表面の開口部より照明灯に向って徐々に高くなるように傾斜した状態で形成したことを特徴とする石製照明体（請求項２）。
【０００９】
なお、本考案における「石」には、天然石のみならず、コンクリート及びモルタルも含まれるものとする。
【考案の効果】
【００１０】
［請求項１の考案］
照明灯収納穴は石製本体表面の開口部より内部に向って徐々に高くなるように傾斜しており、しかも照明灯は該照明灯収納穴の奥部に取り付けられているため、照明灯は通常の姿勢を取る看者からは直接見ることができない。すなわち、照明灯を点灯させたときには、該照明灯の光が直接看者の目に入ることはない。従って、照明灯は、照明灯収納穴の開口部の周囲を極めて柔らかく照明する。換言すれば、照明灯収納穴の開口部の周囲は、いわば「ボーとした」照明状態になる。
【００１１】
また、本考案においては、照明灯収納穴の開口部にはガラス、合成樹脂等の防水カバーが取り付けられていないため、石製照明体の雰囲気が防水カバーにおける石以外の材料により損なわれることもない。
【００１２】
なお、照明灯収納穴は石製本体表面の開口部より内部に向って徐々に高くなるように傾斜しているため、防水カバーが不要であることはいうまでもない。
【００１３】
［請求項２の考案］
照明灯の光を石製本体の外部に通す複数の光通路が設けられているため、照明灯の光は複数の開口部から外部に出る。
【００１４】
各光通路は石製本体表面の開口部より内部に向って徐々に高くなるように傾斜した状態で形成されているため、照明灯は通常の姿勢を取る看者からは直接見ることができない。すなわち、照明灯を点灯させたときには、該照明灯の光が直接看者の目に入ることはない。従って、照明灯は、光通路の開口部の周囲を極めて柔らかく照明する。換言すれば、光通路の開口部の周囲は、いわば「ボーとした」照明状態になる。
【００１５】
その他の点においては、請求項２の考案は、請求項１の考案と同様の効果を発揮する。
【考案を実施するための最良の形態】
【００１６】
次に、考案を実施するための最良の形態について、添付図面を参照して説明する。
【００１７】
符号１に示すものは石製本体である。
【００１８】
石製本体１は、好ましくは御影石等の天然石により形成するが、コンクリート、モルタル等により形成しても差し支えない。
【００１９】
図示の石製本体１は、断面略正方形状ないし略長方形状の柱状体であるが、石製本体１は図示の形状を備えたものに限定されるものではなく、略円柱状体その他如何なる形状を有するものであってもよい。
【００２０】
図示の石製本体１は、下端に基台３を備えると共に、上端に天板５を備えている。基台３と天板５は、石製本体１と同様に、それぞれ好ましくは御影石等の天然石により形成するが、コンクリート、モルタル等により形成しても差し支えない。
【００２１】
図１に示す事例においては、天板５上に郵便受け７を載置している。なお、天板５上には、郵便受け７の他、例えば、石像等の彫刻、盆栽等の鉢植えの植物その他所望の物を載置してもよい。
【００２２】
しかして、本考案においては、石製本体１には該石製本体１の表面に開口する照明灯収納穴９を備えさせる。符号１１に示すものは、照明灯収納穴９における表面の開口部である。図１、図２参照。
【００２３】
図示の事例における照明灯収納穴９は、略円筒状に形成されているが、照明灯収納穴９の形状は随意である。
【００２４】
照明灯収納穴９は表面の開口部１１より内部に向って徐々に高くなるように傾斜した状態で形成する。
【００２５】
照明灯収納穴９の奥部には、適宜の配線（図示せず。）を介して、照明灯１３を取り付ける。
【００２６】
図３〜図６に示す事例においては、石製本体１内には照明灯１３を配設し、該照明灯１３の光を石製本体１の外部に通す複数の光通路１５、１５・・・を設け、各光通路１５は石製本体１表面の開口部１７より照明灯１３に向って徐々に高くなるように傾斜した状態で形成している。
【００２７】
図３〜図５においては、略円柱状の石製本体１内の中心部に中心穴１９を形成し、該中心穴１９の上部に照明灯１３を配設し、該照明灯１３の光を石製本体１の外部に通す複数の光通路１５、１５・・・を中心穴１９に連通させて設け、各光通路１５は石製本体１表面の開口部１７より照明灯１３に向って徐々に高くなるように傾斜した状態で形成している。
【００２８】
図６においては、水平方向に配設した略一部欠切円柱状の石製本体１内には照明灯１３を配設し、該照明灯１３の光を石製本体１の外部に通す複数の光通路１５、１５・・・を設け、各光通路１５は石製本体１表面の開口部１７より照明灯１３に向って徐々に高くなるように傾斜した状態で形成している。
【図面の簡単な説明】
【００２９】
【図１】本考案による石製照明体の一例を示す一部切欠断面図である。
【図２】同上石製照明体を示す斜視図である。
【図３】本考案による石製照明体の別の一例を示す斜視図である。
【図４】同上石製照明体の断面図である。
【図５】本考案による石製照明体の更に別の一例を示す断面図である。
【図６】本考案による石製照明体の更に別の一例を示す斜視図である。
【符号の説明】
【００３０】
１  石製本体
３  基台
５  天板
７  郵便受け
９  照明灯収納穴
１１  開口部
１３  照明灯
１５  光通路
１７  開口部
１９  中心穴
【図１】
0003108041.tif 000003
【図２】
0003108041.tif 000004
【図３】
0003108041.tif 000005
【図４】
0003108041.tif 000006
【図５】
0003108041.tif 000007
【図６】
0003108041.tif 000008